(57)【特許請求の範囲】
【請求項１】
長手方向両端面に開口する貫通穴と、長手方向両端側に該貫通穴に対して略直角方向に貫通するロッド締着穴を夫々形成してなる多数本の枠材と、該各枠材の貫通穴に挿通される連結ロッド及び該連結ロッドに取着する締着部材とから構成し、前記各枠材の長手方向端面の各々と他の枠材を略直角に当接し、該枠材の貫通穴に挿通して該各端面から突出する前記連結ロッドの先端側を該他の枠材のロッド締着穴に挿通して他側から前記締着部材を締結することにより法面上に法面枠体を構成し、該法面枠体はアンカーにより該法面に固定してなる法面枠体構成物。
【請求項２】
前記ロッド挿着穴は、前記枠材の長手方向両端側の位置で、かつ枠材の端面から枠材の幅寸法より若干長い寸法分長手方向内側寄りの位置に形成することにより、連結した４本の該枠材により画成空間を形成し、該画成空間内に前記アンカーを挿入し又は草木を植栽するようにしたことを特徴とする請求項１記載の法面枠体構成物。
【請求項３】
前記枠材の貫通穴は、流路を形成するように前記連結ロッドより大径に形成してあることを特徴とする法面枠体構成物。
【請求項４】
前記枠材には、前記貫通穴に連通する導水穴が形成してあることを特徴とする請求項１記載の法面枠体構成物。
【請求項５】
前記連結ロッドは、両端が開口して内部が流水路になった中空管に構成し、管壁には該流水路に連通する連通孔を設けたことを特徴とする請求項１記載の法面枠体構成物。
【請求項６】
前記連結ロッドは、全長にわたって外面にねじ溝が形成してあることを特徴とする請求項１記載の法面枠体構成物。
【請求項７】
前記枠材の下面には、前記法面に当接又は嵌入する止水部材を設けてあることを特徴とすると請求項１記載の法面枠体構成物。
【発明の詳細な説明】
【０００１】
【発明の属する技術分野】
本発明は、道路法面の形成、治山、土砂崩落や掘削跡の修復等を図るために、整地した法面に草木や本木を確実に定着させて成育することができるようにした法面枠体構成物に関する。
【０００２】
【従来の技術】
整地した法面に草木等を植生するためには地盤、特に表土を定着させる必要がある。そこで、従来は法面上に丸太を方形に組んで枠体を設置し、この枠体内に客土して草木等を成育する方法が実施されて来た。また、長尺の板材を方形に組んだ多数の枠体を相互に連結して法面に敷設し、アンカー杭を介して地盤に固定し、各枠体内に客土して草本等を成育させる木製法面枠が用いられている。同様の技術として、特開２０００−１７６６８号公報には、防腐処理しない加工素肌の木肌または自然樹木肌の木製枠材によって方形に枠囲いして枠内空所を有する形状からなり、前記枠材は相互連結用の連結孔と地面へ打設する係止部材の挿入孔を備え、傾斜地法面への敷設状態において、該傾斜地の下方に位置する前記枠材が概９０粍以上の高さを有して雨水の塞ぎ止めの堤を構成する構造の法面保護枠が開示されている。その他、コンクリート製や合成樹脂製の法面枠体も使用されている。
【０００３】
【発明が解決しようとする課題】
上述した従来技術のうち、丸太を組んだ枠体を用いる方法は現場で丸太組作業を行うために日数がかかるという欠点や枠体の強度性にバラツキがあるという欠点がある。次に、木製法面枠は板材を釘で結合した構成であるために強度性に欠けるし、歪み易いことから法面との間に隙間が形成されるため表土が雨水と共に流出するのを防止できずに草木等の定着が損なわれるという欠点がある。また、特開２０００−１７６６８号公報に開示の法面保護枠には上記と同様の欠点があるし、隣接する保護枠の枠材同士をボルトとナットで結合するため、敷設作業に多大の手間を要するという欠点がある。更に、コンクリート製や合成樹脂製の法面枠体は草木等が定着した後も腐食することなく残留するために逆に草木の成長の妨げになるという欠点や景観を損なうという欠点がある。そして、いずれの従来技術にあっても、排水性を考慮していないために、大量の降雨があった場合に枠体内に滞水することによる過重により、或は表土の軟弱化によって法面が崩壊する危険があった。
【０００４】
本発明は上述した従来技術の諸欠点に鑑みなされたもので、少ない構成部材で組み立てが容易であるが強度性に優れているので歪みがなく、排水性に優れているので法面上に大量の水が滞留することがないので法面の崩壊を防止することができ、また止水部材を設けてあるので法面表土の流出を防止することができる法面枠体構成物を提供することを目的とする。
【０００５】
【課題を解決するための手段】
上述した課題を解決するために構成された本発明の手段は、長手方向両端面に開口する貫通穴と、長手方向両端側に該貫通穴に対して略直角方向に貫通するロッド締着穴を夫々形成してなる多数本の枠材と、該各枠材の貫通穴に挿通される連結ロッド及び該連結ロッドに取着する締着部材とから構成し、前記各枠材の長手方向端面の各々と他の枠材を略直角に当接し、該枠材の貫通穴に挿通して該各端面から突出する前記連結ロッドの先端側を該他の枠材のロッド締着穴に挿通して他側から前記締着部材を締結することにより法面上に法面枠体を構成し、該法面枠体はアンカーにより該法面に固定するようにしたものからなる。
【０００６】
そして、前記ロッド締着穴は前記枠材の端面から長手方向内側寄りに位置して形成することにより、連結した４本の該枠材により画成空間を形成し、該画成空間内に前記アンカーを挿入し又は草木を植栽するようにするとよい。
【０００７】
また、前記枠材の貫通穴は、流路を形成するように前記連結ロッドより大径に形成するとよい。
【０００８】
更に、前記枠材には、前記貫通穴に連通する導水穴を形成するとよい。
【０００９】
更にまた、前記連結ロッドは、両端が開口して内部が流水路になった中空管に構成し、管壁には該流水路に連通する連通孔を設けるとよい。
【００１０】
そして、前記連結ロッドは、全長にわたって外面にねじ溝を形成した構成にするとよい。
【００１１】
また、前記枠材の下面には、前記法面に当接又は嵌入する止水部材を設けた構成にするとよい。
【００１２】
【発明の実施の形態】
以下、本発明の実施の形態を図面に基づき詳述する。図１乃至図７は第１の実施の形態を示す。図において、１は多数の方形の空間からなる植生部イ、イ、・・・を形成する法面枠体、２、２、・・・は該法面枠体１を構成する枠材を示す。３は該各枠材２を構成する棒状体で、該棒状体３は例えば間伐材等の木材、古紙等を圧縮固化した再生材、分解性合成樹脂材を上、下面３Ａ、３Ｂと、両側面３Ｃ、３Ｄと、両端面３Ｅ、３Ｅとからなる四角形の長尺棒状に成形したものからなる。
【００１３】
４は前記棒状体３の略中心に位置して長手方向に穿設した貫通穴を示し、該貫通穴４の両端開口４Ａ、４Ａ（但し、一側のみ図示）は棒状体３の両端面３Ｅ、３Ｅに開口している。そして、貫通穴４は後述する連結ロッド８の直径の倍以上の穴径に設定してある。これは、貫通穴４をロッド挿通穴と雨水の流路としての機能を持たせるためである。５、５は棒状体３に穿設した一対のロッド締着穴で、該各ロッド締着穴５は棒状体３の各端面３Ｅ、３Ｅから長手方向内側寄りで、棒状体３の幅寸法より若干長い寸法の位置に前記貫通穴４と直交する状態で穿設してあり、棒状体３の両側面３Ｃ、３Ｄに貫通している。更に、６、６、６は棒状体３の側面３Ｃ（３Ｄ）に長手方向に離間して穿設した導水穴で、該各導水穴６は貫通穴４に連通している。
【００１４】
７は棒状体３の下面３Ｂ全体に貼着した厚さ約５〜１０ｍｍの止水部材である。該止水部材７は棒状体３と法面Ａとの間の隙間を閉塞して雨水を方形の植生部イ内に蓄え、また水と共に土砂が流失するのを防止するためのもので、例えば発泡ウレタン、不織布を積層したもの、或は植物性繊維を束ねたもの等のように弾性或は柔軟性を有する材料を用いるとよい。
【００１５】
次に、８は上述の構成からなる枠材２の貫通穴４に挿通した連結ロッドで、該連結ロッド６は長さが棒状体３より長尺の丸棒鋼材に表面メッキ処理をしたものからなり、その全長にわたって雄ねじからなるねじ溝８Ａが刻設してある。このねじ溝８Ａは連結ロッド８の両端側にナット９を螺着するための締結部として設けたものであり、全長にわたって刻設してあるのは、施工時に所望の長さに切断した場合でもナット９を螺合できるようにするためである。
【００１６】
また、１０は前記ナット９と枠材２との間に挟装する座金で、該座金１０は長軸が貫通穴４の穴径よりも大きく設定し、短軸は貫通穴４の穴径より小さく設定した楕円状に形成してある。これは、座金１０が貫通穴４の開口を閉塞しないようにし、座金１０と貫通穴４の開口４Ａとの間から雨水が流出できるようにするためである。
【００１７】
かくして、本実施の形態による法面枠体構成物は枠材２、連結ロッド８及びナット９を構成部材とするもので、多数本の枠材２を連結ロッド８及びナット９で連結することにより、法面Ａ上に矩形状の植生部イ、イ、・・・を画成する法面枠体１、１、・・・を構成して縦横方向に展開することにより法面枠体構成物を敷設することができる。
【００１８】
次に、その施工方法について説明する。整地した法面Ａに止水部材５を密に接地させた状態で４本の枠材２、２、・・を配置し、各枠材２に挿通してある連結ロッド８を他の枠材２のロッド締着穴５に挿通して一方の枠材２の一の端面３Ｅを他方の枠材２の側面３Ｃ（３Ｄ）に略Ｔ字状に当接させる。そして、他方の枠材２から突出する連結ロッド８の先端側に座金１０を介して締着部材としてのナット９を締着する。このようにして４本の枠材２、２、・・を図３に示すように突き合わせて連結する。また、各枠材２の他の端面３Ｅを他の枠材２の側面３Ｃ（３Ｄ）に当接して連結ロッド８とナット９により同様に連結することにより矩形状の法面枠体１を構成する。
【００１９】
また、各枠材２のロッド締着穴５は枠材２の端面３Ｅから長手方向内側寄りの位置に形成することにより、突き合わせて連結した４本の枠材２、２、・・により矩形状の画成空間ロが形成される。この画成空間ロ内にアンカー１１を挿入して地盤に打ち込むことにより、法面Ａ上に法面枠体１、１、・・・を格子状に敷設して地盤に固定することにより多数の植生部イ、イ、・・・を形成することができる。そして、形成した各法面枠体１内の植生部イには客土を投入して草木等の種子を播種し、或は苗等を植え付ける。
【００２０】
そして、アンカー１１は枠材２、２、・・を突き合わせて組み付けることにより形成した狭い画成空間ロに打ち込むようにしたから、傾斜面である法面Ａからの法面枠体１の位置ずれを確実に防止することができる。
【００２１】
また、図５に示すようにアンカー１１は植生部イ内に位置して法面枠体１に係止した状態で地盤に打ち込むことにより、画成空間ロは草木ハを植える場所として使用することができる。このようにすることにより、植え付けた初期の段階で地盤に対して定着力の弱い草木ハを枠材２、２、・・で囲うことにより、雨水で流失するような事態を防止することができる。
【００２２】
更に、本実施の形態では、棒状体３の側面に貫通穴４に連通する導水穴６を形成したから、植生部イ内の雨水は導水穴６から貫通穴４に流入させて開口４Ａから下方に排出することにより、植生部イ内に水が過剰に滞留するのを解消することができる。
【００２３】
本実施の形態によれば、凹凸のある法面Ａに弾性或は柔軟性のある止水部材７が密に接地することにより、降雨時に雨水が法面枠体１の下側を流下して法面表土を流失させる現象を防止することができる。また、法面枠体１により形成される植生部イ、イ、・・・内に一旦水を溜めることができるから保水性に優れており、南向き傾斜面や乾季における植物の成育を助けるのに好適である。
【００２４】
なお、上述した各実施の形態では、連結ロッド８にねじ溝８Ａを設け、ナット９を締着することにより枠材２を互いに連結する構成にしたが、ねじ締めに替えて割りピンや楔を締着部材に用いて枠材２同士を連結させてもよい。
【００２５】
図６は変形例を示し、その特徴とするところは、枠材２１を構成する棒状体３に穿設するロッド締着穴２２を端面３Ｅ寄りに配置し、４本の枠材２１、２１、・・の端面３Ｅ、３Ｅ、・・及び側面３Ｄ、３Ｄ、・・側を密着させた状態で一体に連結したことにある。このように構成することによっても法面枠体１を強固に連結することができる。
【００２６】
図７は他の変形例を示す。枠材３１、３１、・・を構成する各棒状体３２の端面３２Ａから内側に切欠部３３を形成し、該切欠部３３、３３を互いに嵌合して連結したことにある。このように構成することにより、枠材３１同士の接触面積が増して密に係合した状態になるから更に強度性を高めることができる。
【００２７】
図８及び図９は第２の実施の形態を示す。なお、本実施の形態において第１の実施の形態の構成要素と同一の構成要素には同一の符号を付して援用し、その説明を省略する。図において、４１は枠材２を構成する棒状体３の下面３Ｂに全長にわたって貼着した止水部材で、該止水部材４１は第１の実施の形態における止水部材７と異なって棒状体３の幅よりも狭く（細く）設定すると共に、木等の硬い材質のもので成形することにより、柔らかい法面Ａに埋まり易いようにしてある。このように構成することにより、流出し易い柔らかい法面表土を確実に土留めすることができる。
【００２８】
４２は上述の構成からなる棒状体３の貫通穴４に挿通した連結ロッドを示す。該連結ロッド４２は長さが棒状体３より長尺で、軸方向両端側の外周面には雄ねじとなるねじ溝４２Ａ、４２Ａ（一方は図示せず。）が刻設してある。また、連結ロッド４２は内部が流水路４２Ｂになった中空管からなっており、その管壁には流水路４２Ｂに連通する複数の連通孔４２Ｃ、４２Ｃ、・・・が全長にわたって、かつランダムに穿設してある。
【００２９】
本実施の形態によれば、貫通穴４に挿通する連結ロッド４２は内部に流水路４２Ｂを設け、管壁に該流水路４２Ｂに連通する複数の連通孔４２Ｃ、４２Ｃ、・・を設けた構成に特徴がある。この構成により、大雨時のように多量の水が各植生部イ内に滞留する状態になると余剰水は各導水穴６から貫通穴４に流入し、更に各連通孔４２Ｃから流水路４２Ｂに流入して連結ロッド４２内を流下して下方の植生部イ内に放出される。このようにして、余剰水は連結ロッド４２の流水路４２Ｂを介して隣接する下方の植生部イ内に順次流出させることにより、余剰の雨水はこの経路を経て法面Ａの低地側に速やかに放出させることができる。
【００３０】
なお、本実施の形態では枠材２を構成する棒状体３に角材を用いたが、所定の長さに裁断した間伐材等からなる丸太を用いてもよいのであって、必ずしも角材を用いる必要はない。
【００３１】
また、上述した各実施の形態において連結ロッド８に丸棒鋼材を用いたが、鋼材以外の金属棒材、例えばアルミニユウム棒材等の他の金属棒材を用いてもよいし、合成樹脂製棒材を用いてもよい。そして、この合成樹脂製棒材には、分解性合成樹脂のものを用いてもよい。
【００３２】
【発明の効果】
本発明は以上詳述した如く構成したから、下記の諸効果を奏する。
（１）複数の枠材にロッド締着穴を形成し、連結ロッドにより枠材を突き合わせた状態で接続する構成にしたから強度性に優れていて歪みがなく、法面との隙間を可及的に小さくすることができるので法面表土の流出を防止できる。また、枠材を突き合わせて連結することで法面枠体を構成するから、予め形成してある枠体同士を組み付けて連結する場合に比較して作業効率に優れている。
（２）枠材を突き合わせて画成空間を形成し、この画成空間内にアンカーを打ち込むようにしたから、法面枠体が位置ずれすることがなく地盤に対する安定性を高めることができる。また、画成空間内に草木を植生することにより、雨水による流失から保護することができる。
（３）枠材の貫通穴は連結ロッドより大径に形成したから、貫通穴に雨水の流路としての機能を持たせることができる。
（４）枠材の貫通穴を流路とし、これに連通する導水穴を形成することにより雨水を法面の下方に放流するようにして排水性を高めたから、法面上に大量の水が滞留する現象を解消することができるので法面の崩壊を防止することができる。
（５）連結ロッドは外面に全長にわたってねじ溝を形成し、所望の長さに切断した場合でも締着部材であるナットを螺合することができるようにしたから、法面の地形に適合した法面枠体の敷設作業を効率よく行うことができる。
（６）連結ロッドは、両端が開口して内部が流水路になった中空管に形成し、管壁に流水路に連通する連通孔を設けたから、排水性をより高めることができる。
（７）枠材の下面に法面に接して或は嵌入して雨水の流出を防止する止水部材を設けたから、法面表土からの雨水の流下による土砂の崩壊を防止することができる。
【図面の簡単な説明】
【図１】図１乃至図６は本発明の第１の実施の形態に係り、図１は連結ロッドを挿通した枠材の斜視図である。
【図２】連結ロッドを挿通した枠材の縦断面図である。
【図３】枠材同士を連結した状態の部分拡大斜視図である。
【図４】法面に法面枠体を敷設した状態の説明図である。
【図５】法面枠体の他の施工方法を示す説明図である。
【図６】変形例に係る枠材同士を連結して一部を破断して示す部分平面図である。
【図７】他の変形例に係る枠材同士を連結した部分平面図である。
【図８】図８及び図９は第２の実施の形態に係り、図８は連結ロッドを挿通した枠材の一部を破断して示す斜視図である。
【図９】連結ロッドを挿通した枠材の縦断面図である。
【符号の説明】
２、２１        枠材
３、３２        棒状体
３Ｅ            端面
４              貫通穴
５、２２        ロッド締着穴
６              導水穴
７、４１        止水部材
８、４２        連結ロッド
９              ナット（締着部材）
４２Ｂ          流水路
４２Ｃ          連通孔
イ              植生部
ロ              画成空間
Ａ              法面
【図１】
0003605765.tif 000002
【図２】
0003605765.tif 000003
【図３】
0003605765.tif 000004
【図４】
0003605765.tif 000005
【図５】
0003605765.tif 000006
【図６】
0003605765.tif 000007
【図７】
0003605765.tif 000008
【図８】
0003605765.tif 000009
【図９】
0003605765.tif 000010